(57)【特許請求の範囲】
【請求項１】
飲料を構成する原料および希釈液の混合比率と、入力された前記希釈液の一定時間当たりの実吐出量と、に基づいて、飲料の種別毎に前記原料の一定時間当たりの基準となる吐出量を求めることを特徴とする飲料供給装置の制御方法。
【請求項２】
飲料を構成する原料および希釈液の混合比率と、前記希釈液を構成する炭酸水および希釈水の混合比率と、入力された前記炭酸水の一定時間当たりの実吐出量及び入力された前記希釈水の一定時間当たりの実吐出量と、に基づいて、飲料の種別毎に前記原料の一定時間当たりの基準となる吐出量を求めることを特徴とする飲料供給装置の制御方法。
【請求項３】
飲料を構成する原料および希釈液の混合比率と、入力された前記希釈液の一定時間当たりの実吐出量と、を記憶する記憶手段と、前記記憶手段から読み出される前記混合比率および前記実吐出量に基づいて、飲料の種別毎に前記原料の一定時間当たりの基準となる吐出量を求める演算手段と、を備えたことを特徴とする飲料供給装置の制御装置。
【請求項４】
飲料を構成する原料および希釈液の混合比率と、前記希釈液を構成する炭酸水および希釈水の混合比率と、入力された前記炭酸水の一定時間当たりの実吐出量と、入力された前記希釈水の一定時間当たりの実吐出量と、を記憶する記憶手段と、前記記憶手段から読み出される２つの前記混合比率および２つの前記実吐出量に基づいて、飲料の種別毎に前記原料の一定時間当たりの基準となる吐出量を求める演算手段と、を備えたことを特徴とする飲料供給装置の制御装置。
【請求項５】
前記演算で求めた基準となる吐出量を表示する表示手段を、備えたことを特徴とする請求項３または４記載の飲料供給装置の制御装置。
【請求項６】
前記実吐出量を操作入力するための入力手段を備え、前記入力手段から前記記憶手段へ前記実吐出量を供給することを特徴とする請求項３乃至５の何れかに記載の飲料供給装置の制御装置。
【請求項７】
前記実吐出量を予め記憶する媒体手段を備え、前記媒体手段から前記記憶手段へ前記実吐出量を供給することを特徴とする請求項３乃至５の何れかに記載の飲料供給装置の制御装置。
【発明の詳細な説明】
【０００１】
【発明の属する技術分野】
本発明は、飲料供給装置の制御方法および制御装置に関する。
【０００２】
【従来の技術】
飲料供給装置（カップ式自動販売機、飲料用ディスペンサ）は、利用者が飲料選択釦を押下すると、この飲料選択釦と対応する飲料の混合比率に応じて、液体原料（シロップ）および希釈液（炭酸水、希釈水）の吐出量を制御することによって、この飲料選択釦と対応する飲料を生成するものである。
【０００３】
上記の液体原料の粘度は、種類、温度に応じて異なる。そのため、飲料供給装置の管理者は、飲料供給装置の新設、飲料供給装置の飲料変更、或いは、季節変化のその都度、液体原料の一定時間当たりの実吐出量を、該当する液体原料の一定時間当たりの基準吐出量と等しくなるように調整しなければならない。
【０００４】
詳述すると、飲料供給装置の管理者は、先ず、液体原料の一定時間（例えば５秒）当たりの吐出量を計測容器で計測し、次に、飲料毎の液体原料の一定時間当たりの基準吐出量が記載された対応表を参照し、次に、液体原料の一定時間当たりの実吐出量が該当する液体原料の一定時間当たりの基準吐出量と等しくなるように、液体原料の供給ライン上に設けた流量調整器（例えばフローレギュレータ、ギアポンプ）の吐出能力を調整しなければならない。
【０００５】
【発明が解決しようとする課題】
しかし、飲料供給装置の管理者は、液体原料の一定時間当たりの実吐出量を調整するとき、対応表の中から該当する液体原料の一定時間当たりの基準吐出量を一々見つけ出さなければならないので、多くの時間を要して作業効率の低下につながるとともに、見間違えて誤調整してしまうという問題があった。
【０００６】
そこで、本発明は、液体原料の一定時間当たりの実吐出量を調整するとき、作業効率の向上および誤調整の防止を実現できる、飲料供給装置の制御方法および制御装置を提供することを目的とする。
【０００７】
【課題を解決するための手段】
本発明は、前記問題点を解決するために創作されたものであり、飲料を構成する原料および希釈液の混合比率と、入力された希釈液の一定時間当たりの実吐出量と、を記憶する記憶手段と、記憶手段から読み出される混合比率および実吐出量に基づいて、飲料の種別毎に原料の一定時間当たりの基準となる吐出量を求める演算手段と、を備えたものである。
【０００８】
【発明の実施の形態】
本発明の詳細を図面に従って具体的に説明する。
【０００９】
図１は、本発明を適用するカップ式自動販売機の正面図の一例である。
【００１０】
図１において、前扉１は、カップ式自動販売機の右側面端を支軸として開閉するものであり、カップ飲料を調理するときに必要となる、希釈水、炭酸水、濃縮液体原料等を混合したり、砂糖、クリーム、氷等を添加したりするためのデータ設定や、販売機構のメンテナンスを行うときは開錠して開き、通常販売を行うときは施錠して閉じておくものである。パネル２は、透明な樹脂板であり、内部に陳列されている複数種類のカップ飲料サンプル３を確認するためのものである。つまり、利用者は、パネル２を通して複数種類のカップ飲料サンプル３を見渡すことにより、購入したいカップ飲料を選択できる。尚、複数種類のカップ飲料の写真または絵柄をパネル２に印刷してもよい。硬貨投入口４は、利用者が硬貨を投入する部分であり、投入硬貨はカップ式自動販売機内部のコインメカに供給される。紙幣挿入口５は、利用者が紙幣を挿入する部分であり、挿入紙幣はカップ式自動販売機内部のビルバリに供給される。表示部６は、投入硬貨金額、挿入紙幣金額等を表示するものである。値段ラベル７は、カップ飲料サンプル３の下部に１対１に対応して配置されるものである。商品選択釦８は、販売可ランプおよび売り切れランプを内蔵し、カップ飲料サンプル３の下部に１対１に対応して配置されるものである。販売可ランプは、利用者が少なくとも１杯のカップ飲料を購入できる硬貨投入または紙幣挿入を行うと、カップ式自動販売機内部の希釈水タンク、炭酸水タンク、濃縮液体原料タンクが中味を有する場合のみ、このカップ飲料に対応するものが点灯する。売り切れランプは、希釈水タンクが空になると、希釈水を使用するカップ飲料に対応するものが常時点灯し、炭酸水タンクが空になると、炭酸水を使用するカップ飲料に対応するものが常時点灯し、何れかの濃縮液体原料タンクが空になると、この濃縮液体原料を使用するカップ飲料に対応するものが常時点灯する。増量釦９、１０、１１は、１杯のコーヒー飲料を調理する際にコーヒー原料、砂糖、クリームの増量を希望するとき、商品選択釦８を押下する前に押下するものである。同様に、減量釦１２、１３、１４は、１杯のコーヒー飲料を調理する際にコーヒー原料、砂糖、クリームの減量を希望するとき、商品選択釦８を押下する前に押下するものである。表示部１５は、コーヒー原料、砂糖、クリームの増減の度合を表示するものである。氷なし釦１６は、１杯のＣＯＬＤ飲料を調理する際に氷の添加を希望しないとき、商品選択釦８を押下する前に押下するものである。増量釦９、１０、１１、減量釦１２、１３、１４、氷なし釦１６を必要に応じて押下し、その後、販売可ランプが点灯している商品選択釦８を押下すると、このカップ飲料サンプル３に対応するカップ飲料が調理され、商品取出口１７から取り出し可能となる。返却レバー１８は、投入硬貨を返却口１９から返却したり、投入硬貨または挿入紙幣からカップ飲料購入金額を差し引いた釣銭を返却口１９から返却したりするためのものである。販売中ランプ２０は、カップ飲料が正常販売されるときに点灯するものである。販売中止ランプ２１は、全カップ飲料が売り切れとなったとき、或いは、カップ飲料を調理するための販売機構が故障したとき、点灯するものである。釣銭切れランプ２２は、コインメカ内部の釣銭用硬貨の合計金額が一定金額以下のときに点灯する。尚、販売中ランプ２０、販売中止ランプ２１、釣銭切れランプ２２は、表示部６の基板上に配設される。
【００１１】
図２は、本発明を適用するカップ式自動販売機の販売機構の一例を説明するための図である。
【００１２】
図２において、希釈水タンク１０１（シスターン）は、水道水を貯水するものである。水電磁弁１０２は、水道の蛇口と希釈水タンク１０１の入口との間に配設され、希釈水タンク１０１の貯水量に応じて開放または遮断するものである。詳述すると、水電磁弁１０２は、希釈水タンク１０１の貯水量を検出するためのフロートスイッチ（図示せず）の出力に応じて開放または遮断し、希釈水タンク１０１の貯水量を一定容積範囲内とする。水ポンプ１０３は、ポンプモータ１０４の駆動力を用いて、希釈水タンク１０１の出口からの水を一定量ずつ放出するものである。水冷却コイル１０５は、水ポンプ１０３からの水を冷却するものである。水フローレギュレータ１０６は、水冷却コイル１０５からの冷却水を、流量調整した後に水電磁弁１０７を介して水供給ライン１０８に供給するものである。
【００１３】
炭酸水タンク１０９（カーボネータ）は、炭酸水を貯水するものである。水電磁弁１１０は、水冷却コイル１０５の出口と炭酸水タンク１０９の入口との間に配設され、炭酸水タンク１０９の貯水量に応じて開放または遮断するものである。詳述すると、水電磁弁１１０は、炭酸水タンク１０９の貯水量を検出するためのフロートスイッチ（図示せず）の出力に応じて開放または遮断し、炭酸水タンク１０９の貯水量を一定容積範囲内とする。炭酸水タンク１０９内部は、水電磁弁１１０からの冷却水と炭酸ガスボンベ１１１からの炭酸ガスとが混合されて炭酸水が生成され、一定圧力（例えば０．６ＭＰａ）がかかる。炭酸水タンク１０９内部の炭酸水は、炭酸ガスボンベ１１１からのガス圧力で下流側に放出される。尚、水電磁弁１１０は、水電磁弁１０７が開放している間は、炭酸水タンク１０９のためのフロートスイッチの出力に関わらず遮断したままとなる。これより、水供給ライン１０８の供給圧力が低下するのを防止できる。炭酸水フローレギュレータ１１２は、炭酸水タンク１０９からの炭酸水を流量調整するものである。炭酸水冷却コイル１１３は、炭酸水フローレギュレータ１１２からの炭酸水を冷却した後に炭酸水電磁弁１１４を介して炭酸水供給ライン１１５に供給するものである。
【００１４】
シロップタンク１１６は、飲料の元となる濃縮液体原料を貯蔵するものである。シロップタンク１１６内部の濃縮液体原料は、炭酸ガスボンベ１１１からのガス圧力で下流側に放出される。シロップ冷却コイル１１７は、シロップタンク１１６からの濃縮液体原料を冷却するものである。シロップフローレギュレータ１１８は、シロップ冷却コイル１１７からの冷却シロップを、流量調整した後にシロップ電磁弁１１９を介してシロップ供給ライン１２０に供給するものである。尚、シロップタンク１１６からシロップ供給ライン１２０までの経路は、カップ飲料の種類に応じた数だけ設けられる。
【００１５】
希釈水供給ライン１０８、炭酸水供給ライン１１５、シロップ供給ライン１２０は、カップ１２１の開口面と対向する位置に集中して配設される。
【００１６】
図３は、本発明の飲料供給装置の制御方法および制御装置を説明するためのブロック図である。
【００１７】
図３において、主制御部２０１（演算手段）は、カップ式自動販売機の制御を統括するものであり、ＲＯＭ、ＣＰＵ、ＲＡＭ、周辺回路（カウンタ等）から成るものである。換言すると、主制御部２０１は、マイクロコンピュータを中心として動作するものである。詳述すると、ＲＯＭは、後述する複数の従制御部を統括制御するためのプログラムデータが予め格納されたものであり、ＣＰＵは、ＲＯＭから読み出されたプログラムデータの解読結果に従って複数の従制御部を統括制御するものであり、ＲＡＭ（記憶手段）は、ＣＰＵによる演算結果、複数の従制御部からの各種データ等の書き込みまたは読み出しを行うものである。ハードウエア面では、ＲＯＭは、データを製造工程で焼き付け固定するマスクＲＯＭ、データを紫外線消去することによりデータを繰り返し書き込み読み出しできるＥＰＲＯＭ、またはデータを電気消去することによりデータを繰り返し書き込み読み出しできるＥＥＰＲＯＭ（フラッシュＲＯＭを含む）等の不揮発性メモリである。ＣＰＵは、ＲＯＭの実行アドレスを指定するプログラムカウンタ、ＲＯＭからの読み出し内容を解読するインストラクションデコーダ、論理演算を行う演算論理ユニット、演算データを一時格納するアキュムレータ等を内蔵する。ＲＡＭは、ＳＲＡＭ等の不揮発性メモリであり、バックアップ電源を用いてデータを保持する。
【００１８】
硬貨処理制御部２０２、紙幣処理制御部２０３、接客制御部２０４、販売制御部２０５、入出力制御部２０６は、複数の従制御部に相当し、ハードウエア面において、主制御部２０１と同様のＲＯＭ、ＣＰＵ、ＲＡＭとを内蔵する。硬貨挿入機構２０７は、釣銭切れを検出する釣銭切れセンサを備え、硬貨投入口４からの投入硬貨を受け取り、必要に応じて釣銭を返却口１９から返却するものである。硬貨処理制御部２０２は、硬貨投入機構２０７を制御し、投入硬貨の金種、正偽等の判別、金種別枚数の計算、金庫への余剰硬貨の収容、釣銭払い出し等を行わせるものである。紙幣挿入機構２０８は、硬貨投入機構２０７と同様に、釣札切れを検出する釣札切れセンサを備え、紙幣挿入口５からの挿入紙幣を受け取り、必要に応じて釣札を紙幣挿入口５から返却するものである。紙幣処理制御部２０３は、紙幣挿入機構２０８を制御し、挿入紙幣の金種、正偽等の判別、金種別枚数の計算、釣札払い出し等を行わせるものである。硬貨処理制御部２０２および紙幣処理制御部２０３は、硬貨投入および紙幣挿入が行われるその都度、処理動作を実行する。尚、硬貨処理制御部２０２および硬貨投入機構２０７はコインメカを構成し、紙幣処理制御部２０３および紙幣挿入機構２０８はビルバリを構成するが、コインメカおよびビルバリの代わりに、先払いカードまたは後払いカードを挿入するカード読み取り装置（図示せず）を設けることによって、カップ飲料を販売できるようにしてもよい。接客面２０９は、表示部６、商品選択釦８、増量釦９、１０、１１、減量釦１２、１３、１４、表示部１５、氷なし釦１６、販売中ランプ２０、販売中止ランプ２１、釣銭切れランプ２２から成るものである。接客制御部２０４は、接客面２０９を制御する。つまり、接客制御部２０４は、主制御部２０１からのカップ飲料販売に関する接客指示に従って、販売中ランプ２０、販売中止ランプ２１、釣銭切れランプ２２を点灯させたり、販売飲料別の販売可ランプまたは売り切れランプを点灯させたり、更には、複数の商品選択釦８の何れが押下されたのかを検出し、このときの検出信号を主制御部２０１に送信したりする。
【００１９】
販売機構２１０は、図２に示すものである。販売制御部２０５は、販売機構２１０を制御し、接客制御部２０４からの前記検出信号に応答した主制御部２０１からの販売指示に従って、利用者が希望するカップ飲料を調理して商品取出口１７で取り出し可能とするものである。
【００２０】
キーボード２１１（第１、第２入力手段）は、テンキーおよびファンクションキーと、これらのキーの操作に関する内容を表示する有機ＥＬ、ＬＣＤ等の表示部（告知手段）とを、前面に備えたものである。キーボード２１１は、入出力制御部２０６を有線で接続して内蔵するとともに、前扉１の裏面に着脱自在に配設され、カップ飲料を調理するためのデータ設定、金額設定、メンテナンス等を行う際に操作するものである。入出力制御部２０６は、キーボード２１１からの入力情報を主制御部２０１に送信する。主制御部２０１は、この入力情報に基づいて、硬貨処理制御部２０２、紙幣処理制御部２０３、接客制御部２０４、販売制御部２０５に対して、それぞれの指示を行う。
【００２１】
記憶媒体２１２（媒体手段）は、カップ飲料を調理するためのデータを記憶する不揮発性メモリ（例えばフラッシュＲＯＭ）であり、接触型または非接触型のスマートメディアの形状とすることが好ましい。主制御部２０１は、キーボード２１１からの入力内容の代わりに、記憶媒体２１２からの記憶内容を用いてもよい。
【００２２】
尚、主制御部２０１と従制御部２０２〜２０６との間の通信は、主制御部２０１が優先的な送信権を有するポーリング方式、或いは、主制御部２０１および従制御部２０２〜２０６が対等な送信権を有するコンテンション方式の何れであってもよい。
【００２３】
図４は、本発明に使用する記憶手段のテーブルを示す図である。
【００２４】
主制御部２０１内のＲＡＭは、飲料を調理するためのデータを記憶するテーブルを有する。詳述すると、主制御部２０１内のＲＡＭは、飲料の識別番号を基準として、濃縮液体原料および希釈液（炭酸水、希釈水）の混合比率と、炭酸水および希釈水の混合比率と、炭酸水の一定時間（例えば５秒）当たりの実吐出量と、希釈水の一定時間（例えば５秒）当たりの実吐出量と、濃縮液体原料の一定時間（例えば５秒）当たりの基準吐出量とを、関連付けて記憶するテーブルを有する。尚、主制御部２０１内のＲＡＭは、飲料の識別番号と、濃縮液体原料および希釈液の混合比率と、炭酸水および希釈水の混合比率とを、キーボード２１１または記憶媒体２１２の何れから受信して記憶してもよい。
【００２５】
主制御部２０１内のＲＯＭは、濃縮液体原料の一定時間当たりの基準吐出量を演算するためのプログラムを有する。詳述すると、主制御部２０１内のＲＯＭは、
ａ．濃縮液体原料および希釈液の混合比率……１：Ａ
ｂ．炭酸水および希釈水の混合比率……Ｂ：（１−Ｂ）
ｃ．炭酸水の一定時間当たりの実吐出量……Ｖｃ
ｄ．希釈水の一定時間当たりの実吐出量……Ｖｗ
ｅ．濃縮液体原料の一定時間当たりの基準吐出量……Ｑ
とするとき、ａ〜ｄの条件より、
Ｑ＝｛ＢＶｃ＋（１−Ｂ）Ｖｗ｝／Ａを演算するためのプログラムを有する。
【００２６】
図５は、本発明の飲料供給装置の制御方法および制御装置を説明するためのフローチャートである。
【００２７】
先ず、カップ式自動販売機の管理者は、キーボード２１１の表示部の初期画面を確認して、飲料を構成する濃縮液体原料の一定時間当たりの吐出量を調整するためのファンクションキーを押下する。入出力制御部２０６は、このファンクションキーの押下に対応する吐出量調整信号を主制御部２０１に送信する。主制御部２０１は、吐出量調整信号を割り込み要求として受信することによって、以下の処理を実行開始する（Ｓ１）。
【００２８】
主制御部２０１は、吐出量調整信号に応答して、上記飲料の識別番号を要求するための識別番号要求信号を入出力制御部２０６に送信する。入出力制御部２０６は、識別番号要求信号に応答して、識別番号を入力するための入力画面をキーボード２１１の表示部に出力する。カップ式自動販売機の管理者は、キーボード２１１の表示部の入力画面を確認して、上記飲料の識別番号を表すテンキーを入力する。入出力制御部２０６は、このテンキーの押下に対応する上記飲料の識別信号を主制御部２０１に送信する（Ｓ２）。
【００２９】
主制御部２０１は、上記飲料の識別信号を解読して、上記飲料が炭酸飲料であるかどうかを判別する（Ｓ３）。
【００３０】
主制御部２０１は、上記飲料が炭酸飲料であるものと判別すると（Ｓ３：ＹＥＳ）、炭酸水吐出確認信号を入出力制御部２０６に送信する。入出力制御部２０６は、炭酸水吐出確認信号に応答して、炭酸水を吐出するための入力画面をキーボード２１１の表示部に出力する。カップ式自動販売機の管理者は、キーボード２１１の表示部の入力画面を確認して、炭酸水を吐出するためのファンクションキーを押下する。入出力制御部２０６は、このファンクションキーの押下に対応する炭酸水吐出要求信号を主制御部２０１に送信する（Ｓ４）。
【００３１】
主制御部２０１は、炭酸水吐出要求信号を受信すると（Ｓ５：ＹＥＳ）、炭酸水吐出指示信号を販売制御部２０５に送信する。販売制御部２０５は、炭酸水吐出指示信号に応答して、販売機構２１０の炭酸水電磁弁１１４を一定時間だけ開放する。カップ式自動販売機の管理者は、炭酸水供給ライン１１５からの炭酸水の実吐出量を計測容器で計測する（Ｓ６）。
【００３２】
主制御部２０１は、炭酸水吐出指示信号を出力した後、炭酸水の実吐出量を入力するための炭酸水実吐出量要求信号を入出力制御部２０６に送信する。入出力制御部２０６は、炭酸水実吐出量要求信号に応答して、炭酸水の実吐出量を入力するための入力画面をキーボード２１１の表示部に出力する。カップ式自動販売機の管理者は、キーボード２１１の表示部の入力画面を確認して、炭酸水の実吐出量を表すテンキーを押下する。入出力制御部２０６は、このテンキーの押下に対応する炭酸水の実吐出量の信号を主制御部２０１に送信する（Ｓ７）。
【００３３】
主制御部２０１は、炭酸水の実吐出量の信号を受信すると（Ｓ８：ＹＥＳ）、炭酸水の実吐出量の信号をＲＡＭのＶｃの欄に記憶する（Ｓ９）。
【００３４】
主制御部２０１は、希釈水吐出確認信号を入出力制御部２０６に送信する。入出力制御部２０６は、希釈水吐出確認信号に応答して、希釈水を吐出するための入力画面をキーボード２１１の表示部に出力する。カップ式自動販売機の管理者は、キーボード２１１の表示部の入力画面を確認して、希釈水を吐出するためのファンクションキーを押下する。入出力制御部２０６は、このファンクションキーの押下に対応する希釈水吐出要求信号を主制御部２０１に送信する（Ｓ１０）。
【００３５】
主制御部２０１は、希釈水吐出要求信号を受信したものと判別すると（Ｓ１１：ＹＥＳ）、希釈水吐出指示信号を販売制御部２０５に送信する。販売制御部２０５は、希釈水吐出指示信号に応答して、販売機構２１０のポンプモータ１０４を一定時間だけ駆動し且つ水電磁弁１０７を一定時間だけ開放する。カップ式自動販売機の管理者は、希釈水供給ライン１０８からの希釈水の実吐出量を計測容器で計測する（Ｓ１２）。
【００３６】
主制御部２０１は、希釈水吐出指示信号を出力した後、希釈水の実吐出量を入力するための希釈水実吐出量要求信号を入出力制御部２０６に送信する。入出力制御部２０６は、希釈水実吐出量要求信号に応答して、希釈水の実吐出量を入力するための入力画面をキーボード２１１の表示部に出力する。カップ式自動販売機の管理者は、キーボード２１１の表示部の入力画面を確認して、希釈水の実吐出量を表すテンキーを押下する。入出力制御部２０６は、このテンキーの押下に対応する希釈水の実吐出量の信号を主制御部２０１に送信する（Ｓ１３）。
【００３７】
主制御部２０１は、希釈水の実吐出量の信号を受信すると（Ｓ１４：ＹＥＳ）、希釈水の実吐出量の信号をＲＡＭのＶｗの欄に記憶する（Ｓ１５）。
【００３８】
主制御部２０１は、濃縮液体原料の一定時間当たりの基準吐出量を上記の演算式を用いて演算し、ＲＡＭのＱの欄に記憶する（Ｓ１６）。
【００３９】
主制御部２０１は、濃縮液体原料の基準吐出量Ｑの信号を入出力制御部２０６に送信する。入出力制御部２０６は、濃縮液体原料の基準吐出量Ｑをキーボード２１１の表示部に表示する。これより、カップ式自動販売機の管理者は、キーボード２１１の表示部の画面を確認して、フローレギュレータ１１８の吐出能力を調整可能となる（Ｓ１７）。
【００４０】
最後に、カップ式自動販売機の管理者は、キーボード２１１の表示部の画面を確認して、上記の調整を終了するためのファンクションキーを押下する。入出力制御部２０６は、このファンクションキーの押下に対応する吐出量調整終了信号を主制御部２０１に送信する。主制御部２０１は、吐出量調整終了信号を受信すると（Ｓ１８：ＹＥＳ）、処理を終了する。
【００４１】
以上より、種別毎の濃縮液体原料の一定時間当たりの吐出量を演算で求めて表示するので、吐出量を調整するときの作業効率を向上できるとともに誤調整をも防止できる。
【００４２】
尚、本発明は、カップ式自動販売機に限定されるものではなく、店舗内の飲料用ディスペンサに適用してもよい。
【００４３】
【発明の効果】
本発明によれば、特定する原料の基準となる吐出量を演算で求めるので、吐出量を調整するときの作業効率を向上できるとともに誤調整を防止できる。また、原料の基準となる吐出量を表示するので、吐出量を確実に調整できる。
【図面の簡単な説明】
【図１】本発明を適用するカップ式自動販売機の正面図の一例である。
【図２】本発明を適用するカップ式自動販売機の販売機構の一例を説明するための図である。
【図３】本発明の飲料供給装置の制御方法および制御装置を説明するためのブロック図である。
【図４】本発明に使用する記憶手段のテーブルを示す図である。
【図５】本発明の飲料供給装置の制御方法および制御装置を説明するためのフローチャートである。
【符号の説明】
１０４  ポンプモータ
１０７  水電磁弁
１１４  炭酸水電磁弁
１１９  シロップ電磁弁
２０１  主制御部
２０５  販売制御部
２０６  入出力制御部
２１０  販売機構
２１１  キーボード
２１２  記憶媒体
【図１】
0004632578.tif 000002
【図２】
0004632578.tif 000003
【図３】
0004632578.tif 000004
【図４】
0004632578.tif 000005
【図５】
0004632578.tif 000006